(57)【要約】【課題】本発明は、バーコードの読取成功率を確保し良好な印刷品質を得るようにした記録装置を提供することを課題とする。【解決手段】本発明は、電子写真感光体に対し、表面を均一に帯電する帯電器、レーザを露光する光学系、トナーを現像する現像機、用紙上にトナーを転写する転写器、及び残された未転写のトナーを清掃する清掃機を備え、コントローラから送られた画像データを読取り、印刷する画素の周囲の認識パターンにより、印刷するパターンの露光量を制御する露光制御を取り入れた電子写真方式印刷装置において、印刷する画素に対し、レーザ走査方向の前後に位置する片方の画素が印刷する画素の場合、或いは印刷する画素に対しレーザ走査方向に対し直行する方向に位置する片方が印刷する画素の場合に、露光量を非露光部と同一露光量に制御することを特徴とする。【選択図】  図１
2004330687.tif 000002
【特許請求の範囲】
【請求項１】
電子写真感光体に対し、表面を均一に帯電する帯電器、レーザを露光する光学系、トナーを現像する現像機、用紙上にトナーを転写する転写器、及び残された未転写のトナーを清掃する清掃機を備え、コントローラから送られた画像データを読取り、印刷する画素の周囲の認識パターンにより、印刷するパターンの露光量を制御する露光制御を取り入れた電子写真方式印刷装置において、印刷する画素に対し、レーザ走査方向の前後に位置する片方の画素が印刷する画素の場合、或いは印刷する画素に対しレーザ走査方向に対し直行する方向に位置する片方が印刷する画素の場合に、露光量を非露光部と同一露光量に制御することを特徴とする電子写真方式露光制御方法。
【発明の詳細な説明】
【０００１】
【発明の属する技術分野】
本発明は、電子写真方式露光制御方法に関するものである。
【０００２】
【従来の技術】
図２、図４を用いて従来技術の例を説明する。図２は、画像認識パターンとレーザ発光制御の模式図である。図４は印刷装置の構成図である。感光体１は矢印方向に回転し、帯電器２は感光体１表面を均一に帯電する。コントローラ３２からの画像データをレーザ制御装置３１にて電気信号に変換し、光学系３からレーザを感光体表面に露光し電気潜像形成する。この時、コントローラ３２から送られてきた画像データから、印刷を行う黒画素に対して図２の画像認識パターン３に合致した場合、認識パターン３の中央に位置する光量制御対象黒画素に対して、印刷濃度確保に必要な強露光のレーザパワーを発光させ、認識パターン３に合致しない場合の黒画素は強露光のレーザパワーより弱い弱露光レーザパワーを発光させる制御を行う。
【０００３】
このことにより、感光体１の電位は、非印刷部に相当する非露光部の電位、印刷部に相当する弱露光部の電位と強露光部の電位と、３段階の電位を持つ形となる。
【０００４】
次に、トナーとキャリアとから成る２成分の現像剤４１と電圧を印加したマグネットロールとを備えた現像機４によりトナーを感光体１に現像する。この時、前記した３段階の電位とマグネットロールとの電位レベルにより、非露光部にトナーは現像されず、強露光部には十分なトナーが現像ざれ、弱露光部には強露光部より少ない量のトナーが現像される。
【０００５】
感光体１上に現像されたトナーは、転写器５によって用紙６に転写され、その後用紙６に定着される。また感光体１上に残ったトナーは、清掃器７により清掃され、印刷の１サイクルが終了する。
【０００６】
【発明が解決しようとする課題】
前記の従来技術において、縦線、及び広い領域のべた画像を印刷する場合、レーザ走査方向に対し垂直な方向にレーザパワーの斑が生じないように、レーザ走査ピッチより大きいレーザビーム縦径を設定している。また、上記レーザビーム径を用いた場合の印刷後横線幅と同等に成るようにレーザビーム横径、及びレーザ走査時間を設定している。このため、上記光学系設定にて印刷を実施した場合、Ｎドットの縦線・横線の線幅は、理論上の線幅であるレーザ走査ピッチのＮ倍よりも大きな値になっている。
【０００７】
上記情況は、図１に本発明適用前の画像生成方式の列に模式図で示している。上記印刷状態にて、バーコード印刷等の線幅を重要視する印刷を行う場合、同一画素数のバーとスペースではバーの線幅がスペースの線幅より大きな値となり、バーコードの読取成功率を低下させる結果を招くことがある。特に単位長さ当たりの情報量の多い高密度のバーコードの場合、線幅の読取公差が狭く成ってくることから、バーコードの読取成功率を更に低下させてしまうという問題がある。
【０００８】
本発明は、バーコードの読取成功率を確保し良好な印刷品質を得るようにした記録装置を提供することを目的とするものである。
【０００９】
【課題を解決するための手段】
上記の目的は、電子写真感光体に対し、表面を均一に帯電する帯電器、レーザを露光する光学系、トナーを現像する現像機、用紙上にトナーを転写する転写器、及び残された未転写のトナーを清掃する清掃機を備え、コントローラから送られた画像データを読取り、印刷する画素の周囲の認識パターンにより、印刷するパターンの露光量を制御する露光制御を取り入れた電子写真方式印刷装置において、印刷する画素に対し、レーザ走査方向の前後に位置する片方の画素が印刷する画素の場合、或いは印刷する画素に対しレーザ走査方向に対し直行する方向に位置する片方が印刷する画素の場合に、露光量を非露光部と同一露光量に制御することにより達成される。
【００１０】
【発明の実施の形態】
以下、本発明の一実施例を図面により詳細に説明する。図１は、本発明の画像認識パターンと画像生成方式を説明する模式図である。図２は、従来技術の画像認識パターンとレーザ発光制御の１模式図である。図４は、印刷装置の構成図である。
【００１１】
感光体１は矢印方向に７．１ｉｐｓの周速で回転し、−６００Ｖの電圧を印加したグリッドワイヤと−６ＫＶの電圧を印加したコロトロンワイヤを備えたスコロトロン方式帯電器２により感光体１表面を約−６００Ｖに均一に帯電する。
【００１２】
コントローラ３２からの解像度６００ｄｐｉの画像データをレーザ制御装置３１にて電気信号に変換し、半導体ダイオードレーザを備えた光学系３からレーザを感光体１表面に露光し感光体上に電気潜像形成する。
【００１３】
この時、コントローラ３２から送られてきた画像データから、印刷を行う黒画素に対して図２の画像認識パターン３に合致した場合、認識パターン３の中央に位置する光量制御対象黒画素に対して、印刷濃度確保に必要な強露光のレーザパワー約１．５ｍＷを発光させる。
【００１４】
また、図１の画像認識パターン１、或いは画像認識パターン２に合致した場合、認識パターンの中央に位置する光量制御対象黒画素に対して、非露光部と同様に露光させないように制御を行う。図１の本発明適用後の画像生成方式の列に、上記認識パターンの適用情況を模式図で示している。そして、上記認識パターン１、２、及び３の何れにも合致しない場合の黒画素は強露光のレーザパワーより弱い弱露光レーザパワー１．０ｍＷを発光させる制御を行う。この露光により、感光体の電位は、非印刷部に相当する非露光部の電位約−６００Ｖ、印刷部に相当する弱露光部の電位約−１７０Ｖと強露光部の電位約−５０Ｖと、３段階の電位を持つ形となる。
【００１５】
次に、非磁性トナーと磁性キャリアとから成る２成分の現像剤４１と−４００Ｖの電圧を印加したマグネットロールとを備えた現像機４によりトナーを感光体１に現像する。この時、前記した３段階の電位とマグネットロールとの電位レベルにより、非露光部にはトナーは現像されず、強露光部には十分なトナーが現像ざれ、弱露光部には強露光部より少ない量のトナーが現像ざれることと成る。
【００１６】
感光体１上に現像されたトナーは、転写器５によって用紙６に転写され、その後用紙に定着される。また感光体１上に残ったトナーは、清掃器７により清掃され、印刷の１サイクルが終了する。
【００１７】
この結果、印刷された線の幅は、元画素の理想線幅であるレーザ走査ピッチの整数倍に近い線幅となり、理想の印刷サンプルを得ることが出来るように成る。
【００１８】
本実施例では、線画像に対しレーザ走査方向上流側の黒画素、及びレーザ走査方向に対し垂直な方向で上部の黒画素についての画像認識パターンを表したが、図３の画像認識パターン１２、画像認識パターン２２の様に上記と逆の方向の黒画素を制御する画像認識パターンを使用しても同様の効果がある。
【００１９】
本実施例では、５行×５列の画像認識パターンで説明したが図３に示す３行×３列の画像認識パターンや、その他の行列で示した画像認識パターンでも、本発明の認識パターンと同一部分があれば同様の効果を得ることが出来る。
【００２０】
また、本実施例では、プロセス速度７．１ｉｐｓ、解像度６００ｄｐｉの場合について述べたが、プロセススピード、解像度に関係なく、同様の効果を得ることが出来る。
【００２１】
更に、本実施例では、弱露光を使用しているが、弱露光を使用しない強露光のみの条件においても同様の効果を得ることが出来る。本実施例では、感光体帯電極性を負帯電としたが、正帯電でもでも同様の効果を得ることが出来る。本実施例では、連続用紙を使用して説明しているが、カット用紙を用いた場合でも同様の効果を得ることが出来る。
【００２２】
【発明の効果】
本発明によれば、理想の線幅に近い印刷サンプルを得ることが出来、バーコード等の線幅規定に厳しい印刷においても読みより良好な印刷サンプルを提供することが出来る等、高印刷品質を得ることが出来る。
【図面の簡単な説明】
【図１】本発明の実施例における画像認識パターンと画像生成方式を説明する模式図である。
【図２】従来技術の画像認識パターンとレーザ発光制御の模式図である。
【図３】本発明の他の実施例における画像認識パターンの模式図である。
【図４】印刷装置の１例を示す構成図である。
【符号の説明】
１は感光体、２は帯電器、３は光学系、４は現像機、４１は現像剤、５は転写器、６は用紙、７は清掃器、３２はコントローラ、３１はレーザ制御装置である。
【図１】
2004330687.tif 000003
【図２】
2004330687.tif 000004
【図３】
2004330687.tif 000005
【図４】
2004330687.tif 000006